(57)【要約】【課題】ジェスチャ操作の検出パターンを多様化することが可能なジェスチャ検出装置を提供することを目的とする。【解決手段】各々光を出力する一対の赤外線ＬＥＤと、  赤外線ＬＥＤから出力され、操作者のジェスチャ操作により反射された反射光を受光する赤外線センサと、赤外線センサの受光結果に基づいて、予め定めたジェスチャ操作方向へのジェスチャ動作及び予め定めたかざし動作の各々を区別してジェスチャ操作を検出するコントローラと、を備える。【選択図】図３
2017079018.tif 000002
【特許請求の範囲】
【請求項１】
各々光を出力する複数の光源と、
前記光源から出力され、操作者のジェスチャ操作により反射された反射光を受光する受光部と、
前記受光部の受光結果に基づいて、予め定めたジェスチャ操作方向へのジェスチャ動作及び予め定めたかざし動作の各々を区別して前記ジェスチャ操作を検出する検出部と、
を備えたジェスチャ検出装置。
【請求項２】
前記複数の光源の何れから出力された光かを区別可能なように前記複数の光源を駆動する駆動部を更に備えた請求項１に記載のジェスチャ検出装置。
【請求項３】
前記検出部は、前記受光部の前記反射光の受光時間が予め定めた閾値以上か否かを判定することにより前記かざし動作と前記ジェスチャ動作とを区別して検出する請求項１又は請求項２に記載のジェスチャ検出装置。
【請求項４】
前記検出部は、前記閾値を複数設けて、前記かざし動作を更に複数種類に区別して検出する請求項３に記載のジェスチャ検出装置。
【請求項５】
前記複数の光源は、予め定めた２軸の各々のジェスチャ操作方向に対して、前記２軸によって形成される面内で前記２軸のそれぞれに交わる方向に沿って配列され、かつ前記ジェスチャ操作方向の各々の間隔が異なる位置に配置された一対の光源である請求項１〜４の何れか１項に記載のジェスチャ検出装置。
【請求項６】
前記複数の光源が一対の光源とされ、
前記一対の光源のうち少なくとも一方の光源から予め定めた方向へ出力される光を減光する減光壁を更に備えた請求項１〜４の何れか１項に記載のジェスチャ検出装置。
【発明の詳細な説明】
【技術分野】
【０００１】
本発明は、ジェスチャ操作を検出するジェスチャ検出装置に関する。
【背景技術】
【０００２】
ジェスチャ操作などの非接触で操作を行う技術としては、例えば、特許文献１に記載の技術などが提案されている。
【０００３】
特許文献１に記載の技術では、一対の赤外線ＬＥＤ、及び一対の赤外線ＬＥＤの間に配置された赤外線センサによってジェスチャ操作を検出する。そして、赤外線ＬＥＤの配列方向及び当該配列方向と直交する方向に沿った２軸のジェスチャ操作のうち赤外線ＬＥＤの配列方向と直交する軸に沿った２方向のうちの一方向へ一方の赤外線ＬＥＤから出力される光を減光する減光壁を備えている。これにより、一対の赤外線ＬＥＤと赤外線センサによって２軸のジェスチャ操作を検出することが可能としている。
【先行技術文献】
【特許文献】
【０００４】
【特許文献１】特開２０１５−０６０５１２号公報
【発明の概要】
【発明が解決しようとする課題】
【０００５】
しかしながら、特許文献１に記載の技術では、２軸のジェスチャ操作の検出が可能とされ、各軸それぞれ２方向の４種の検出パターンが検出可能であるが、これ以上の検出パターンの多様化を図るためには改善の余地がある。
【０００６】
本発明は、上記事実を考慮して成されたもので、ジェスチャ操作の検出パターンを多様化することが可能なジェスチャ検出装置を提供することを目的とする。
【課題を解決するための手段】
【０００７】
上記目的を達成するために請求項１に記載の発明は、各々光を出力する複数の光源と、前記光源から出力され、操作者のジェスチャ操作により反射された反射光を受光する受光部と、前記受光部の受光結果に基づいて、予め定めたジェスチャ操作方向へのジェスチャ動作及び予め定めたかざし動作の各々を区別して前記ジェスチャ操作を検出する検出部と、を備えている。
【０００８】
請求項１に記載の発明によれば、複数の光源の各々は光を出力し、受光部では、光源から出力され、操作者のジェスチャ操作により反射された反射光が受光される。
【０００９】
そして、検出部では、受光部の受光結果に基づいて、予め定めたジェスチャ操作方向へのジェスチャ動作及び予め定めたかざし動作の各々を区別して操作者のジェスチャ操作が検出される。
【００１０】
すなわち、ジェスチャ動作とかざし動作の各々を区別してジェスチャ操作が検出されるので、ジェスチャ動作のみをジェスチャ操作として検出する場合よりも、ジェスチャ操作の検出パターンを多様化できる。
【００１１】
なお、請求項２に記載の発明のように、複数の光源の何れから出力された光かを区別可能なように複数の光源を駆動する駆動部を更に備えてもよい。これにより、検出パターンの更なる多様化を図ることができる。
【００１２】
また、検出部は、請求項３に記載の発明のように、受光部の反射光の受光時間が予め定めた閾値以上か否かを判定することによりかざし動作とジェスチャ動作とを区別して検出してもよい。これにより、受光部の受光時間が閾値以上の場合にかざし動作として検出し、閾値より短い場合にはジェスチャ動作として検出することができる。この場合、検出部は、請求項４に記載の発明のように、閾値を複数設けて、かざし動作を更に複数種類に区別して検出してもよい。
【００１３】
なお、複数の光源は、請求項５に記載の発明のように、予め定めた２軸の各々のジェスチャ操作方向に対して、２軸によって形成される面内で２軸のそれぞれに交わる方向に沿って配列され、かつジェスチャ操作方向の各々の間隔が異なる位置に配置された一対の光源を適用してもよい。
【００１４】
また、請求項６に記載の発明のように、複数の光源が一対の光源とされ、一対の光源のうち少なくとも一方の光源から予め定めた方向へ出力される光を減光する減光壁を更に備えてもよい。
【発明の効果】
【００１５】
以上説明したように本発明によれば、ジェスチャ操作の検出パターンを多様化することが可能なジェスチャ検出装置を提供することができる、という効果がある。
【図面の簡単な説明】
【００１６】
【図１】（Ａ）は本発明の実施形態に係るジェスチャ検出装置の概略構成を示す図であり、（Ｂ）はジェスチャ検出装置のジェスチャ操作の検出を説明するための図である。
【図２】（Ａ）は本発明の実施形態に係るジェスチャ検出装置に対して左から右方向にジェスチャ操作した様子とそのときの赤外線センサの出力を示す図であり、（Ｂ）は本発明の実施形態に係るジェスチャ検出装置に対して右から左方向にジェスチャ操作した様子とそのときの赤外線センサの出力を示す図である。
【図３】（Ａ）はかざし動作の一例を示す図であり、（Ｂ）はジェスチャ動作、かざし動作、及びかざし確定動作の区別する検出時間の閾値を示す図である。
【図４】（Ａ）は一対の赤外線ＬＥＤへのかざし動作を示す図であり、（Ｂ）は（Ａ）の状態から右方向へのジェスチャ動作を示す図であり、（Ｃ）はかざし動作から右方向へのジェスチャ動作を行った場合の赤外線センサの出力を示す図であり、（Ｄ）は（Ａ）の状態から左方向へのジェスチャ動作を示す図であり、（Ｅ）はかざし動作から左方向へのジェスチャ動作を行った場合の赤外線センサの出力を示す図である。
【図５】本実施形態に係るジェスチャ検出装置の検出パターン例を示す図である。
【図６】（Ａ）は一対の赤外線ＬＥＤ及び赤外線センサを階段状に配置したジェスチャ検出装置において左から右方向へのジェスチャ動作を示す図であり、（Ｂ）は（Ａ）の場合の赤外線センサの出力を示す図であり、（Ｃ）は一対の赤外線ＬＥＤ及び赤外線センサを階段状に配置したジェスチャ検出装置において右から左方向へのジェスチャ動作を示す図であり、（Ｄ）は（Ｃ）の場合の赤外線センサの出力を示す図であり、（Ｅ）は一対の赤外線ＬＥＤ及び赤外線センサを階段状に配置したジェスチャ検出装置において上から下方向へのジェスチャ動作を示す図であり、（Ｆ）は（Ｅ）の場合の赤外線センサの出力を示す図であり、（Ｇ）は一対の赤外線ＬＥＤ及び赤外線センサを階段状に配置したジェスチャ検出装置において下から上方向へのジェスチャ動作を示す図であり、（Ｈ）は（Ｇ）の場合の赤外線センサの出力を示す図である。
【図７】（Ａ）は一対の光源のうち少なくとも一方の赤外線ＬＥＤから予め定めた方向へ出力される光を減光する減光壁を設けたジェスチャ検出装置の一例を示す図であり、（Ｂ）は本実施形態に対して、一対の赤外線ＬＥＤに直交する方向に一対の赤外線ＬＥＤを更に設けたジェスチャ検出装置を示す図である。
【発明を実施するための形態】
【００１７】
以下、図面を参照して本発明の実施の形態の一例を詳細に説明する。図１（Ａ）は、本実施の形態に係るジェスチャ検出装置の概略構成を示す図であり、図１（Ｂ）はジェスチャ検出装置のジェスチャ操作の検出を説明するための図である。
【００１８】
本実施形態に係るジェスチャ検出装置１０は、各々赤外光を発光する第１赤外線ＬＥＤ１２Ａ及び第２赤外線ＬＥＤ１２Ｂの一対の赤外線ＬＥＤ１２を備えている。
【００１９】
また、一対の赤外線ＬＥＤ１２の間には、赤外光を検出する赤外線センサ１４が設けられている。本実施形態では、図１（Ａ）に示すように、赤外線ＬＥＤ１２Ａ、１２Ｂと赤外線センサ１４とが交互に一列に配列されている。
【００２０】
一対の赤外線ＬＥＤ１２及び赤外線センサ１４は、コントローラ１６に接続されており、コントローラ１６によって一対の赤外線ＬＥＤ１２の駆動が制御され、赤外線センサ１４の検出結果がコントローラ１６に入力される。
【００２１】
コントローラ１６は、赤外線センサ１４が一対の赤外線ＬＥＤ１２のそれぞれから発光された赤外光を受光したときに、何れの赤外線ＬＥＤ１２から出力された光かを区別可能なように一対の赤外線ＬＥＤ１２を駆動するようになっている。コントローラ１６は、例えば、第１赤外線ＬＥＤ１２Ａと第２赤外線ＬＥＤ１２Ｂとをそれぞれパルス駆動すると共に、駆動パルスの位相を反転して駆動するようにしてもよいし、各駆動周波数を異なる周波数で駆動するようにしてもよい。
【００２２】
本実施形態に係るジェスチャ検出装置１０は、図１（Ｂ）に示すように、一対の赤外線ＬＥＤ１２から発光された赤外光がジェスチャ操作を行う手に反射して赤外線センサ１４に反射光が入射される。コントローラ１６は、赤外線センサ１４に入射された赤外光に基づいてジェスチャ操作を検出する。なお、本実施形態では、操作者の手の反射光を検出する例を説明するが、手以外に操作棒等の操作物等によってジェスチャ操作を行って、操作物による反射光を検出してもよい。
【００２３】
このように構成された本実施形態に係るジェスチャ検出装置１０では、左右方向（図１（Ａ）の一対の赤外線ＬＥＤ１２と赤外線センサ１４の配列方向）の操作者のジェスチャ操作については左右何れの方向へのジェスチャ操作（手の移動）であるかを区別して検出することができるが、上下方向（一対の赤外線ＬＥＤ１２と赤外線センサ１４の配列方向と直交する方向）のジェスチャ操作については、一対の赤外線ＬＥＤ１２の各検出波形が一致してしまうので、上下何れの方向へのジェスチャ操作であるかを区別して検出することができない。
【００２４】
詳細には、図２（Ａ）、（Ｂ）に示すように、図２（Ａ）、（Ｂ）の左右方向のジェスチャ操作（手の移動）は、各赤外線ＬＥＤ１２から発光された光が赤外線センサ１４で受光するタイミングが異なると共に、それぞれの赤外線ＬＥＤを区別可能なように駆動されるので、異なるタイミングの波形として検出することができる。そのため、右から左の方向からのジェスチャ操作と、左から右へのジェスチャ操作を区別して検出することができる。
【００２５】
しかしながら、上下方向のジェスチャ操作（手の移動）は、一対の赤外線ＬＥＤ１２の各々から発光された光が赤外線センサ１４で受光するタイミングが重なり、且つ波形の形状も同じとなる。従って、上から下へのジェスチャ操作なのか、下から上へのジェスチャ操作なのかを区別して検出することができない。そのため、１軸（一対の赤外線ＬＥＤ１２の配列方向に沿った軸）のジェスチャ操作しか検出することができない。
【００２６】
そこで、本実施の形態では、左右へのジェスチャ動作以外に、所定時間の間、手をかざした状態で移動させない、かざし動作を検出し、かざし動作とジェスチャ動作の少なくとも２種類の動作を区別してジェスチャ操作として検出する。そして、かざし動作とジェスチャ動作の組み合わせにより、検出パターンの多様化を図っている。
【００２７】
具体的には、図３（Ａ）に示すように、ジェスチャ検出装置１０に対して手をかざして予め定めた時間経過するまで手を移動させない状態のかざし動作を検出する。図３（Ａ）の例では、第１赤外線ＬＥＤ１２Ａ及び第２赤外線ＬＥＤ１２Ｂの各々の反射光を赤外線センサ１４が検出する例を示す。本実施形態では、手をかざして赤外線センサ１４が反射光を検出している時間に閾値を設け、反射光の検出時間が閾値以上か否かを判定することによりかざし動作とジェスチャ動作とを区別して検出する。さらに、本実施形態では、閾値が２つ設けられており、ジェスチャ動作、かざし動作、及びかざし確定動作の３種類の動作を検出するようになっている。詳細には、図３（Ｂ）に示すように、手をかざして赤外線センサ１４が反射光を検出している時間が時間ｔ１まではジェスチャ動作検出範囲として、手を左右へ移動させるジェスチャ動作を検出する。また、赤外線センサ１４が反射光を検出している時間が時間ｔ１以上から時間ｔ２までは手をかざした状態のかざし動作の検出範囲としてかざし動作を検出する。そして、赤外線センサ１４が反射光を検出している時間が時間ｔ２以上では、かざし動作の後にジェスチャ動作が行われたのか、かざし動作でジェスチャ操作が終了したのかを区別するためのかざし動作を確定する範囲として、かざし確定動作を検出する。なお、本実施形態では、閾値が２つの例を説明するが、閾値は１つとして、ジェスチャ動作とかざし動作の２種類を検出する構成でもよい。
【００２８】
続いて、本発明の第１実施形態に係るジェスチャ検出装置１０の作用について説明する。
【００２９】
まず、図２（Ａ）に示すように、ジェスチャ検出装置１０に対して左右方向、かつ左から右方向（図２の左右方向かつ第１赤外線ＬＥＤ１２Ａから第２赤外線ＬＥＤ１２Ｂへの方向）にジェスチャ操作した場合、各赤外線ＬＥＤ１２から発光されて手で反射した赤外光が赤外線センサ１４によって受光される。この場合の赤外線センサ１４の受光結果は、図２（Ａ）の下段に示すように、第１赤外線ＬＥＤ１２Ａから発光された赤外光を受光し、続いて、第２赤外線ＬＥＤ１２Ｂから発光された赤外光を受光する。従って、コントローラ１６は、赤外線センサ１４の検出結果から左から右方向へのジェスチャ操作を検出することができる。
【００３０】
また、図２（Ｂ）に示すように、ジェスチャ検出装置１０に対して左右方向、かつ右から左方向（図２の左右方向かつ第２赤外線ＬＥＤ１２Ｂから第１赤外線ＬＥＤ１２Ａへの方向）にジェスチャ操作した場合、各赤外線ＬＥＤ１２から発光されて手で反射した赤外光が赤外線センサ１４によって受光される。この場合の赤外線センサ１４の受光結果は、図２（Ｂ）の下段に示すように、第２赤外線ＬＥＤ１２Ｂから発光された赤外光を受光し、続いて、第１赤外線ＬＥＤ１２Ａから発光された赤外光を受光する。従って、コントローラ１６は、赤外線センサ１４の検出結果から右から左方向へのジェスチャ操作を検出することができる。
【００３１】
さらに、本実施形態では、上述したように、かざし動作とジェスチャ動作とを組み合わせたジェスチャ操作が検出可能である。すなわち、コントローラ１６は、一対の赤外線ＬＥＤ１２の反射光の検出時間ｔが時間ｔ１より短い場合をジェスチャ動作として検出し、時間ｔ１から時間ｔ２をかざし動作として検出する。そして、時間ｔ２以上の場合には、かざし確定動作として検出する。
【００３２】
例えば、図４（Ａ）に示すように、一対の赤外線ＬＥＤ１２に手をかざしてかざし動作を行った後に、右方向（赤外線ＬＥＤ１２Ｂ方向）へのジェスチャ動作（図４（Ｂ））や、左方向（赤外線ＬＥＤ１２Ａ方向）へのジェスチャ動作（図４（Ｄ））を行う。これにより、赤外線センサ１４は、赤外線ＬＥＤ１２Ａ及び赤外線ＬＥＤ１２Ｂの双方向の反射光を時間ｔ１以上検出することでかざし動作を検出する。その後、右方向へのジェスチャ動作の場合は、赤外線ＬＥＤ１２Ａからの反射光が減光後に、赤外線ＬＥＤ１２Ｂからの反射光が減光する。一方、左方向へのジェスチャ動作の場合は、赤外線ＬＥＤ１２Ｂからの反射光が減光後に、赤外線ＬＥＤ１２Ａからの反射光が減光するので、これらの検出パターンを赤外線センサ１４が検出する。そして、コントローラ１６がかざし動作とジェスチャ動作とを区別して検出することにより、ジェスチャ操作として多様化した検出パターンを検出することができる。
【００３３】
例えば、本実施形態では、一例として、図５に示す種類の検出パターンが検出可能である。
【００３４】
図５の例では、検出パターンＮｏ．１は、上述した検出パターンで、第１動作として、第１赤外線ＬＥＤ１２Ａ及び第２赤外線ＬＥＤ１２Ｂへのかざし動作を行った後に、第２動作として、右方向へジェスチャ動作を行う。
【００３５】
検出パターンＮｏ．２は、上述した検出パターンで、第１動作として、第１赤外線ＬＥＤ１２Ａ及び第２赤外線ＬＥＤ１２Ｂへのかざし動作を行った後に、第２動作として、左方向へジェスチャ動作を行う。
【００３６】
検出パターンＮｏ．３は、第１動作として、第１赤外線ＬＥＤ１２Ａへのかざし動作を行った後に、第２動作として、右方向へジェスチャ動作を行う。
【００３７】
検出パターンＮｏ．４は、第１動作として、第１赤外線ＬＥＤ１２Ａへのかざし動作を行った後に、第２動作として、左方向へジェスチャ動作を行う。
【００３８】
検出パターンＮｏ．５は、第１動作として、第２赤外線ＬＥＤ１２Ｂへのかざし動作を行った後に、第２動作として、右方向へジェスチャ動作を行う。
【００３９】
検出パターンＮｏ．６は、第１動作として、第２赤外線ＬＥＤ１２Ｂへのかざし動作を行った後に、第２動作として、左方向へジェスチャ動作を行う。
【００４０】
検出パターンＮｏ．７は、第１動作として、左から右方向へのジェスチャ動作を行った後に、第２動作として、第２赤外線ＬＥＤ１２Ｂへのかざし動作を行う。
【００４１】
検出パターンＮｏ．８は、第１動作として、左から右方向へのジェスチャ動作を行った後に、第２動作として、第１赤外線ＬＥＤ１２Ａ及び第２赤外線ＬＥＤ１２Ｂへのかざし動作を行う。
【００４２】
検出パターンＮｏ．９は、第１動作として、右から左方向へのジェスチャ動作を行った後に、第２動作として、第１赤外線ＬＥＤ１２Ａへのかざし動作を行う。
【００４３】
検出パターンＮＯ．１０は、第１動作として、右から左方向へのジェスチャ動作を行った後に、第２動作として、第１赤外線ＬＥＤ１２Ａ及び第２赤外線ＬＥＤ１２Ｂへのかざし動作を行う。
【００４４】
検出パターンＮｏ．１１は、第１動作として、第１赤外線ＬＥＤ１２Ａへのかざし動作を行った後に、第２動作として、第２赤外線ＬＥＤ１２Ｂへのかざし動作を行う。
【００４５】
検出パターンＮｏ．１２は、第１動作として、第２赤外線ＬＥＤ１２Ｂへのかざし動作を行った後に、第２動作として、第１赤外線ＬＥＤ１２Ａへのかざし動作を行う。
【００４６】
検出パターンＮｏ．１３は、第１赤外線ＬＥＤ１２Ａ及び第２赤外線ＬＥＤ１２Ｂへのかざし動作を時間ｔ２以上行うことで、かざし確定動作を行う。
【００４７】
検出パターンＮｏ．１４は、第１赤外線ＬＥＤ１２Ａへのかざし動作を時間ｔ２以上行うことで、かざし確定動作を行う。
【００４８】
検出パターンＮｏ．１５は、第２赤外線ＬＥＤ１２Ｂへのかざし動作を時間ｔ２以上行うことで、かざし確定動作を行う。
【００４９】
検出パターンＮｏ．１６は、かざし動作は行わずに、右から左方向へのジェスチャ動作のみを行う。
【００５０】
検出パターンＮｏ．１７は、かざし動作は行わずに、左から右方向へのジェスチャ動作のみを行う。
【００５１】
このように、本実施形態では、かざし動作とジェスチャ動作を組み合わせたジェスチャ操作を検出することで、ジェスチャ動作のみをジェスチャ操作として検出する場合に比べて、検出パターンを多様化することができる。
【００５２】
また、検出パターン毎に対応する操作内容を予め定めてコントローラ１４等に記憶しておくことで、コントローラ１４が検出した検出パターンに対応する操作を指示することができる。
【００５３】
なお、上記の実施形態では、一対の赤外線ＬＥＤ１２間に赤外線センサ１４を設けて一列に配列した例を説明したが、ジェスチャ検出装置の構成はこれに限るものではない。
【００５４】
例えば、上記の実施形態の一対の赤外線ＬＥＤ１２が、予め定めた２軸の各々のジェスチャ操作方向に対し、２軸によって形成される面内で２軸それぞれに交わる方向に沿って配列され、かつジェスチャ操作方向の各々の間隔が異なる位置に配置されたジェスチャ検出装置を適用してもよい。具体的には、図６（Ａ）に示すように、一対の赤外線ＬＥＤ１２及び赤外線センサ１４を階段状に配置し、かつ紙面の左右方向と上下方向の一対の赤外線ＬＥＤ１２の間隔の長さを極端に異なるようにすることで、２軸のジェスチャ操作を検出可能な構成に適用してもよい。すなわち、一対の赤外線ＬＥＤ１２を各々区別可能に駆動した場合には、図６（Ａ）に示すように、左から右方向へのジェスチャ動作では、赤外線センサ１４は、第１赤外線ＬＥＤ１２Ａの光を検出した後に、第２赤外線ＬＥＤ１２Ｂの光を検出するので（図６（Ｂ））、左から右方向へのジェスチャ動作を検出できる。この時、下から上方向へのジェスチャ動作（図６（Ｇ））も、第１赤外線ＬＥＤ１２Ａの反射光を検出した後に、第２赤外線ＬＥＤ１２Ｂの反射光を検出するが（図６（Ｈ））、一方の光を検出してから他方の光を検出するまでの時間が異なるので各々を区別できる。また、同様に、図６（Ｃ）に示すように、右から左方向へのジェスチャ動作では、赤外線センサ１４は、第２赤外線ＬＥＤ１２Ｂの光を検出した後に、第１赤外線ＬＥＤ１２Ａの光を検出するので（図６（Ｄ））、右から左方向へのジェスチャ動作を検出できる。この時、上から下方向へのジェスチャ動作（図６（Ｅ））も、第２赤外線ＬＥＤ１２Ｂの反射光を検出した後に、第１赤外線ＬＥＤ１２Ａの反射光を検出するが（図６（Ｆ））、一方の光を検出してから他方の光を検出するまでの時間が異なるので各々を区別できる。このような構成のジェスチャ検出装置においても、上記の実施形態のように、かざし動作とジェスチャ動作を組み合わせたジェスチャ操作を検出することで、検出パターンを更に多様化することができる。
【００５５】
或いは、ジェスチャ検出装置の構成として、図７（Ａ）に示すように、特開２０１５−０６０５１２号公報に記載されたジェスチャ検出装置を適用してもよい。すなわち、上記の実施形態に対して、一対の光源のうち少なくとも一方の赤外線ＬＥＤ１２から予め定めた方向へ出力される光を減光する減光壁１８を設けてもよい。
【００５６】
或いは、ジェスチャ検出装置の構成として、図７（Ｂ）に示すように、上記の実施の形態に対して、一対の赤外線ＬＥＤ１２に直交する方向に一対の赤外線ＬＥＤ１２Ｃ、１２Ｄを更に設けたジェスチャ検出装置に適用してもよい。
【００５７】
また、上記の実施形態では、コントローラ１６は、赤外線センサ１４が一対の赤外線ＬＥＤ１２の各々の赤外光を受光したときに、何れから出力された光かを区別可能なように一対の赤外線ＬＥＤ１２を駆動する例を説明したが、これに限るものではない。例えば、それぞれ同じように駆動してもよい。これにより、右から左方向へのジェスチャ動作と、左から右へのジェスチャ動作を区別できなくなるが、かざし動作とジェスチャ動作とを区別して検出することで、ジェスチャ動作のみをジェスチャ操作として検出する場合より、検出パターンを多様化できる。
【００５８】
また、上記の実施形態では、時間ｔ１、ｔ２を閾値として、かざし動作、ジェスチャ動作、及びかざし確定動作を検出するようにしたが、閾値はこれに限るものではない。例えば、時間ｔ１のみとして、かざし動作及びジェスチャ動作を検出してもよい。或いは、３つ以上の閾値を適用して、複数種類のかざし動作を区別して更に検出パターンを多様化してもよい。
【００５９】
また、上記の実施形態では、一対の赤外線ＬＥＤ１２及び赤外線センサ１４の配列が、横長な構成として説明したが、これに限るものではない。例えば、９０°回転させて縦長の構成としてもよい。
【００６０】
また、上記の各実施形態では、一対の赤外線ＬＥＤ１２間に赤外線センサ１４を配置した例を示すが、一対の赤外線ＬＥＤ１２間以外の位置に設けるようにしてもよい。
【００６１】
また、上記の各実施形態では、赤外線ＬＥＤ１２を光源として用いる例を説明したが、赤外光以外に可視光を出力するＬＥＤを光源として用いるようにしてもよい。
【００６２】
さらに、本発明は、上記に限定されるものでなく、上記以外にも、その主旨を逸脱しない範囲内において種々変形して実施可能であることは勿論である。
【符号の説明】
【００６３】
１０    ジェスチャ検出装置
１２    赤外線ＬＥＤ
１２Ａ    第１赤外線ＬＥＤ
１２Ｂ    第２赤外線ＬＥＤ
１４    赤外線センサ
１６    コントローラ
【図１】
2017079018.tif 000003
【図２】
2017079018.tif 000004
【図３】
2017079018.tif 000005
【図４】
2017079018.tif 000006
【図５】
2017079018.tif 000007
【図６】
2017079018.tif 000008
【図７】
2017079018.tif 000009